(57)【特許請求の範囲】
【請求項１】
支持体に配設される係合装置と、回動可能な扉に配設される被係合部材とを備え、
前記係合装置は、
本体と、
その本体に配設され、第１位置および第２位置の間で変位可能に構成される変位体と、
前記変位体を前記第１位置または前記第２位置に保持する保持手段と、を備え、
前記変位体は、
前記保持手段により前記第１位置に保持された状態では、前記扉が回動する際の前記被係合部材の軌跡上に一側が位置され、第１方向へ回動される前記扉が通過する際に前記被係合部材から前記一側が作用を受けることで、前記保持手段による保持が解除されて前記第２位置へ変位されると共に、前記保持手段により前記第２位置に保持され、
前記保持手段により前記第２位置に保持された状態では、前記扉が回動する際の前記被係合部材の軌跡上に他側が位置され、前記第１方向と反対方向となる第２方向へ回動される前記扉が通過する際に前記被係合部材から前記他側が作用を受けることで、前記保持手段による保持が解除されて前記第１位置へ変位されると共に、前記保持手段により前記第１位置に保持されることを特徴とするストッパユニット。
【請求項２】
前記本体は、開口を有する空間と、その空間に形成され、前記第１位置および前記第２位置の間で前記変位体が変位される際に前記変位体の外面を案内する案内面を備え、
前記変位体が前記開口を介して前記空間に取り付け可能および前記空間から取り外し可能に構成され、
前記保持手段は、前記本体または前記変位体の一方に配設される磁石と、前記本体または前記変位体の他方に配設される磁性体と、を備え、前記磁性体が前記磁石に吸着されることで、前記変位体が前記第１位置または前記第２位置に保持されることを特徴とする請求項１記載のストッパユニット。
【請求項３】
前記変位体の外面および前記本体の案内面が略同径の円弧状に形成されることを特徴とする請求項２記載のストッパユニット。
【請求項４】
前記本体に前記変位体を回転可能に軸支する軸を備え、
前記本体は、開口を有する空間を備え、
前記変位体は、前記空間に配設されることを特徴とする請求項１記載のストッパユニット。
【請求項５】
前記本体に前記変位体を連結する連結手段を備え、
前記本体は、開口を有する空間と、その空間に形成され、前記第１位置および前記第２位置の間で前記変位体が変位される際に前記変位体の外面を案内する案内面を備え、
前記連結手段は、前記本体または前記変位体の一方から突出される突出部と、前記本体または前記変位体の他方に形成され前記突出部を受け入れる受入部とを備えることを特徴とする請求項１記載のストッパユニット。
【請求項６】
前記変位体の外面および前記本体の案内面が略同径の円弧状に形成され、
前記連結手段の受入部が前記変位体の外面および前記本体の案内面と同心の円弧状に形成されることを特徴とする請求項５記載のストッパユニット。
【請求項７】
前記扉に配設され、前記被係合部材を回転可能に軸支する軸支部材を備え、
前記被係合部材は、軸方向視円形に形成され、前記被係合部材の外周面が前記変位体に当接されることを特徴とする請求項１から６のいずれかに記載のストッパユニット。
【発明の詳細な説明】
【技術分野】
【０００１】
本発明は、ストッパユニットに関し、特に、扉を施錠しやすくできるストッパユニットに関するものである。
【背景技術】
【０００２】
スイングドアにグレビティヒンジを用いた扉構造が知られている（特許文献１）。この扉構造によれば、扉をその扉の正面または背面のどちらの側から押しても開けることができ、また、開けた後は、扉を自重により閉位置に自動的に復帰させることができる。
【先行技術文献】
【特許文献】
【０００３】
【特許文献１】特開２０１６−１９９８６９号公報（例えば、段落００４５，００４６）
【発明の概要】
【発明が解決しようとする課題】
【０００４】
ここで、本願出願人は、上記扉構造を介護施設や病院などに適用することを考案した。上記扉構造によれば、肘や肩を扉に押し当てることで、扉を開くことができるので、手指や掌を扉に触れさせることなく通過できる。よって、扉を通過するたびに手指や掌を消毒することを不要とできる。また、本願出願人は、施錠装置のサムターンに大型の補助具を装着し、その補助具を肘で操作可能とすることで、手指や掌をサムターンに触れさせることなく施錠できる構成を想到した（本願出願時に未公知）。
【０００５】
しかしながら、上記扉構造では、扉の施錠が行い難いという問題点があった。即ち、肘だけで補助具を操作すると、補助具の操作に伴って扉が押されて回動してしまいやすい。そのため、施錠装置のデッドボルトがストライクに対して位置ずれし、両者を係合（施錠）させることが困難となる。
【０００６】
本発明は、上述した問題点を解決するためになされたものであり、扉を施錠しやすくできるストッパユニットを提供することを目的とする。
【課題を解決するための手段】
【０００７】
この目的を達成するために本発明のストッパユニットは、支持体に配設される係合装置と、回動可能な扉に配設される被係合部材とを備え、前記係合装置は、本体と、その本体に配設され、第１位置および第２位置の間で変位可能に構成される変位体と、前記変位体を前記第１位置または前記第２位置に保持する保持手段と、を備え、前記変位体は、前記保持手段により前記第１位置に保持された状態では、前記扉が回動する際の前記被係合部材の軌跡上に一側が位置され、第１方向へ回動される前記扉が通過する際に前記被係合部材から前記一側が作用を受けることで、前記保持手段による保持が解除されて前記第２位置へ変位されると共に、前記保持手段により前記第２位置に保持され、前記保持手段により前記第２位置に保持された状態では、前記扉が回動する際の前記被係合部材の軌跡上に他側が位置され、前記第１方向と反対方向となる第２方向へ回動される前記扉が通過する際に前記被係合部材から前記他側が作用を受けることで、前記保持手段による保持が解除されて前記第１位置へ変位されると共に、前記保持手段により前記第１位置に保持される。
【発明の効果】
【０００８】
請求項１記載のストッパユニットによれば、変位体は、保持手段により第１位置に保持された状態では、扉が回動する際の被係合部材の軌跡上に一側が位置され、第１方向へ回動される扉が通過する際に被係合部材から一側が作用を受けることで、保持手段による保持が解除されて第２位置へ変位されると共に、保持手段により第２位置に保持され、保持手段により第２位置に保持された状態では、扉が回動する際の被係合部材の軌跡上に他側が位置され、第１方向と反対方向となる第２方向へ回動される扉が通過する際に被係合部材から他側が作用を受けることで、保持手段による保持が解除されて第１位置へ変位されると共に、保持手段により第１位置に保持されるので、扉をその扉の正面または背面のどちらの側から押しても開けることができる。
【０００９】
この場合、保持手段による保持が解除されない程度の力で扉が押された場合には、被係合部材と変位体との当接により、扉の回動を規制できる。これにより、施錠時（例えば、肘による補助具の操作時）に扉が押されても、デッドボルトがストライクに対して位置ずれすることを抑制して、両者を係合させやすくできる。即ち、扉を施錠しやすくできる。
【００１０】
請求項２記載のストッパユニットによれば、請求項１記載のストッパユニットの奏する効果に加え、本体は、第１位置および第２位置の間で変位体が変位される際に変位体の外面を案内する案内面を備えるので、変位体を本体に軸支するための軸を設けることを不要として、部品点数を削減できる。よって、その分、製品コストを削減できる。また、変位体が開口を介して空間に取り付け可能および空間から取り外し可能に構成されるので、変位体の交換や本体（空間）内部の掃除を容易に行うことができる。この場合、磁性体が磁石に吸着されることで、変位体が第１位置または第２位置に保持されるので、変位体が本体（空間）から不用意に脱落することを抑制できる。
【００１１】
請求項３記載のストッパユニットによれば、請求項２記載のストッパユニットの奏する効果に加え、変位体の外面および本体の案内面が略同径の円弧状に形成されるので、変位体の変位量を確保して、変位体の一側および他側を被係合部材の軌跡上に確実に位置させることができる。また、変位体を本体に軸により軸支する場合と比較して、本体の開口の幅を抑制できる。
【００１２】
請求項４記載のストッパユニットによれば、請求項１記載のストッパユニットの奏する効果に加え、本体に変位体を回転可能に軸支する軸を備え、本体は、開口を有する空間を備え、変位体は、空間に配設されるので、変位体の変位を案内するための案内面を本体に形成することを不要として、本体の形状を簡素化できると共に、変位体が本体（空間）から不用意に脱落することを抑制できる。
【００１３】
請求項５記載のストッパユニットによれば、請求項１記載のストッパユニットの奏する効果に加え、本体に変位体を連結する連結手段を備え、連結手段は、本体または変位体の一方から突出される突出部と、本体または変位体の他方に形成され突出部を受け入れる受入部とを備えるので、変位体が本体（空間）から不用意に脱落することを抑制できる。
【００１４】
請求項６記載のストッパユニットによれば、請求項５記載のストッパユニットの奏する効果に加え、変位体の外面および本体の案内面が略同径の円弧状に形成されるので、変位体の変位量を確保して、変位体の一側および他側を被係合部材の軌跡上に確実に位置させることができる。また、変位体を本体に軸により軸支する場合と比較して、本体の開口の幅を抑制できる。更に、変位体の外面および本体の案内面が略同径の円弧状に形成されるので、保持手段の構成の自由度を向上できる。
【００１５】
請求項７記載のストッパユニットによれば、請求項１から６のいずれかに記載のストッパユニットの奏する効果に加え、扉に配設され、被係合部材を回転可能に軸支する軸支部材を備え、被係合部材は、軸方向視円形に形成され、被係合部材の外周面が変位体に当接されるので、変位体に当接された際に被係合部材を回転させることができる。よって、両者が当接される際の衝撃を抑制できると共に当接面の摩耗を抑制できる。
【図面の簡単な説明】
【００１６】
【図１】（ａ）は、本発明の第１実施形態におけるストッパユニットを使用した扉構造の上面図であり、（ｂ）は、扉構造の背面図である。
【図２】（ａ）及び（ｂ）は、扉構造の部分拡大斜視図である。
【図３】（ａ）は、係合装置の上面図であり、（ｂ）は、係合装置の正面図であり、（ｃ）は、図３（ｂ）のＩＩＩｃ−ＩＩＩｃ線における係合装置の断面図であり、（ｄ）は、図３（ｂ）のＩＩＩｄ−ＩＩＩｄ線における係合装置の断面図である。
【図４】（ａ）は、ケースの上面図であり、（ｂ）は、蓋の下面図であり、（ｃ）は、変位体が取り外された状態における係合装置の断面図であり、（ｄ）は、変位体の背面斜視図である。
【図５】（ａ）から（ｄ）は、扉構造の部分拡大上面図である。
【図６】（ａ）及び（ｂ）は、第２実施形態における係合装置の断面図であり、（ｃ）は、ケースの上面図であり、（ｄ）は、蓋の下面図であり、（ｅ）は、変位体の背面斜視図である。
【図７】（ａ）は、第３実施形態における係合装置の断面図であり、（ｂ）は、図７（ａ）のＶＩＩｂ−ＶＩＩｂ線における係合装置の断面図であり、（ｃ）は、変位体の背面斜視図である。
【図８】（ａ）は、第４実施形態における係合装置の断面図であり、（ｂ）は、図８（ａ）のＶＩＩＩｂ−ＶＩＩＩｂ線における係合装置の断面図であり、（ｃ）は、ケースの上面図であり、（ｄ）は、蓋の下面図である。
【図９】（ａ）は、第５実施形態における係合装置の断面図であり、（ｂ）は、図９（ａ）のＩＸｂ−ＩＸｂ線における係合装置の断面図であり、（ｃ）は、ケースの上面図であり、（ｄ）は、蓋の下面図であり、（ｅ）は、変位体の背面斜視図である。
【図１０】（ａ）及び（ｂ）は、第６実施形態における扉構造の部分拡大上面図である。
【発明を実施するための形態】
【００１７】
以下、本発明の好ましい実施形態について、添付図面を参照して説明する。まず、図１及び図２を参照して、本発明の第１実施形態におけるストッパユニット１０について説明する。図１（ａ）は、本発明の第１実施形態におけるストッパユニット１０を使用した扉構造１の上面図であり、図１（ｂ）は、扉構造１の背面図である。図２（ａ）及び図２（ｂ）は、扉構造１の部分拡大斜視図である。なお、図１及び図２では、扉３が閉位置に配置された状態が図示される。
【００１８】
図１に示すように、本実施形態の扉構造１は、パネル２と、そのパネル２の開口部を閉じるための扉３と、その扉３をパネル２に対して開閉可能に支持するグレビティヒンジ４と、扉３を施錠するためのドア錠５と、そのドア錠５の操作部分を構成する補助具６と、扉３のストッパとして機能するストッパユニット１０とを備える。
【００１９】
扉構造１は、扉３がグレビティヒンジ４を用いたスイングドアとして構成され、正面３ａ又は背面３ｂのどちらから押されても扉３を背面側または正面側へ開くことができると共に、背面側または正面側のどちらへ扉３を開いた場合でも、グレビティヒンジ４の作用により、扉３が自重により閉位置に自動で復帰する（自閉する）ように構成される。
【００２０】
ドア錠５は、扉３を閉位置において施錠するための装置であり、サムターンの回動操作により、扉３の戸先からデッドボルトを突出させ、その突出させたデッドボルトを、パネル２の縦枠に配設されたストライクに挿入（係合）させることで、扉３を施錠する（パネル２に対して回動不能とする）。なお、サムターンの逆方向への回動操作により、デッドボルトを没入させ、ストライクとの係合を解除することで、解錠が可能とされる。
【００２１】
本実施形態では、ドア錠５には、サムターンに樹脂製の補助具６が配設され、操作可能な領域が拡大される。これにより、補助具６を肘で操作することができるので、指や掌をサムターンに触れさせることなく、扉３の施錠および解錠を行うことができる。
【００２２】
一方で、サムターンを手指で握って操作する場合には、扉３の回動位置（前後位置）を調整できるが、肘だけで補助具６を操作する場合には、補助具６の操作に伴って扉３が奥側（操作者から見て前方、図１（ａ）及び図２（ａ）の矢印Ａ方向）へ押されて回動してしまいやすい。そのため、デッドボルトがストライクに対して位置ずれし、両者を係合させる（デッドボルトをストライクに挿入する、即ち、扉３を施錠する）ことが困難となる。
【００２３】
これに対し、扉構造１によれば、ストッパユニット１０を備え、ローラ２４と変位体１３０との当接により、扉３が奥側（補助具６を操作する操作者から見て前方）へ回動することを規制可能とされる（図２（ａ）参照）。これにより、デッドボルトがストライクに対して位置ずれすることを抑制して、両者を係合させやすくできる。このストッパユニット１０の詳細構成について説明する。
【００２４】
ストッパユニット１０は、扉側ローラ２０と、係合装置１００とを備える。まず、扉側ローラ２０について説明する。扉側ローラ２０は、図２（ａ）に示すように、ベース２１及びカバー２２と、それらベース２１及びカバー２２に両端が保持される軸２３と、その軸２３に回転可能に軸支されるローラ２４とを備え、扉３の戸先上部および戸先下部にそれぞれ配設される。
【００２５】
軸２３は、扉３の回動中心（グレビティヒンジ４の軸）と平行とされる。ローラ２４は、軸方向視円形に形成され、その外周面が係合装置１００の変位体１３０に当接される（図５参照）。よって、ローラ２４が変位体１３０に当接される際に、ローラ２４を回転させることができるので、ローラ２４及び変位体１３０が当接される際の衝撃を抑制できると共に、両者の当接面（ローラ２４の外周面および変位体１３０の内周面）の摩耗を抑制できる。なお、本実施形態では、ローラ２４の直径が略３８ｍｍに設定される。
【００２６】
次いで、図３及び図４を参照して、係合装置１００について説明する。図３（ａ）は、係合装置１００の上面図であり、図３（ｂ）は、係合装置１００の正面図であり、図３（ｃ）は、図３（ｂ）のＩＩＩｃ−ＩＩＩｃ線における係合装置１００の断面図であり、図３（ｄ）は、図３（ｂ）のＩＩＩｄ−ＩＩＩｄ線における係合装置１００の断面図である。図４（ａ）は、ケース１１０の上面図であり、図４（ｂ）は、蓋１２０の下面図であり、図４（ｃ）は、変位体１３０が取り外された状態における係合装置１００の断面図であり、図４（ｄ）は、変位体１３０の背面斜視図である。
【００２７】
図３及び図４に示すように、係合装置１００は、ケース１１０と、そのケース１１０の上面側に配設される蓋１２０と、それらケース１１０及び蓋１２０により形成される空間Ｓ１に配設される変位体１３０と、その変位体１３０の背面に配設される磁石１４０と、その磁石１４０が吸着される磁性体１５０と、その磁性体１５０を上記空間Ｓ１に配設するための配設部材１６０とを備え、扉３が閉位置にある状態において、扉側ローラ２０（ローラ２４）に対向するように、パネル２の縦枠の２か所に配設される。
【００２８】
ケース１１０及び蓋１２０は、樹脂材料から形成され、ケース１１０の上面に蓋１２０が固着されることで、正面側に開口を有する空間Ｓ１がケース１１０及び蓋１２０の内部に形成される。ケース１１０の内形は、配設部材１６０の外形と略同一とされ（図３（ｃ）参照）、ケース１１０と蓋１２０との間に挟み込まれることで、配設部材１６０が空間Ｓ１に固定される。
【００２９】
ケース１１０は、空間Ｓ１の開口を挟んだ正面視左右両側にフランジ部が形成され、そのフランジ部がパネル２の縦枠に締結される（図２（ａ）参照）。これにより、空間Ｓ１の開口が扉３の戸先側を向き、変位体１３０の空間Ｓ１の開口から突出する部分がローラ２４の軌跡上に位置される。
【００３０】
ケース１１０及び蓋１２０には、案内面１１１，１２１が形成される。案内面１１１，１２１は、空間Ｓ１の開口側に内周面を向けた円筒面であり、変位体１３０の外周面１３２と同径に形成され、変位体１３０の外周面１３２が摺動可能とされる。即ち、案内面１１１，１２１に外周面１３２が案内されることで、変位体１３０が第１位置および第２位置の間で変位（回転）される（図５参照）。
【００３１】
変位体１３０は、円筒面として形成される内周面１３１及び外周面１３２を備え、樹脂材料から上面視略三日月形に形成される。外周面１３２には、高さ方向中央部分に凹みが形成され、その凹みに磁石１４０が配設される。即ち、外周面１３２には、凹みが形成されていない領域に周方向に連続した領域が形成され、この領域が案内面１１１，１２１に案内される。なお、内周面１３１の直径（内径）は、ローラ２４の直径（外径）よりも大きくされ、本実施形態では、略４０ｍｍに設定される。
【００３２】
磁石１４０は、正面視矩形の板状に形成される永久磁石である。磁性体１５０は、磁石１４０が吸着可能な強磁性体の板（鉄板）であり、磁石１４０と所定間隔を隔てて対向配置される。磁性体１５０は、略Ｖ字状に折り曲げられ、空間Ｓ１の開口へ向けて凸となる姿勢で配設されると共に（図３（ｃ）参照）、変位体１３０が変位（回転）する際の磁石１４０の軌跡上に位置される。よって、磁性体１５０が磁石１４０に吸着されることで、変位体１３０が第１位置または第２位置に保持（配置）される（図５参照）。
【００３３】
なお、磁石１４０に磁性体１５０が対向配置されているので、それらの間に発生する吸着力を、変位体１３０を空間Ｓ１へ引き込む方向の力として常に作用させておくことができる。これにより、変位体１３０が変位（回転）される際に、その外周面１３２を案内面１１１，１２１に押し付けておくことができる。その結果、案内面１１１，１２１により外周面１３２の案内効果を確保させ、変位体１３０の変位（回転）を安定させることができる。
【００３４】
ここで、変位体１３０は、外周面１３２（円筒面）の中心が空間Ｓ１の開口よりも外方に位置し、開口を介して空間Ｓ１に取り付け可能および空間Ｓ１から取り外し可能に構成される（図４（ｃ）及び図４（ｄ）参照）。よって、変位体１３０や磁石１４０が破損や摩耗した場合のそれらの交換や、変位体１３０の外周面１３２及び空間Ｓ１（案内面１１１，１２１）の掃除（埃や異物の除去）を、容易に行うことができる。一方、このように、着脱可能に構成されていても、磁石１４０及び磁性体１５０の間の吸着力を利用して、変位体１３０が空間Ｓ１の開口から不用意に脱落することを抑制できる。
【００３５】
このように、本実施形態の係合装置１００は、案内面１１１，１２１を利用して、変位体１３０を第１位置および第２位置の間で変位（回転）させることができる。即ち、変位体１３０をケース１１０及び蓋１２０に軸支するための軸を設けることを不要とできるので、部品点数を削減して、その分、製品コストを削減できる。
【００３６】
次いで、図５を参照して、扉構造１の動作について説明する。図５（ａ）から図５（ｄ）は、扉構造１の部分拡大上面図である。なお、図５（ａ）及び図５（ｄ）では、変位体１３０が第１位置に配置された状態が、図５（ｂ）及び図５（ｃ）では、変位体１３０が第２位置に配置された状態が、それぞれ図示される。
【００３７】
図５（ａ）に示すように、変位体１３０が第１位置に配置（磁石１４０及び磁性体１５０の吸着により保持）された状態では、扉３が回動する際のローラ２４の軌跡上に変位体１３０の一側（内周面１３１及び外周面１３２が交差する左右の稜線を含む部分の内の一方側、図５（ａ）右側）が位置（突出）される。
【００３８】
変位体１３０が第１位置に配置された状態から扉３が矢印Ｂ方向（第１方向）へ回動されると、図５（ｂ）に示すように、扉３が通過する際にローラ２４から変位体１３０の一側が作用を受けることで、磁石１４０及び磁性体１５０の吸着による保持が解除され、変位体１３０が第２位置へ向けて変位（回転）されると共に、磁性体１５０が磁石１４０に吸着され、変位体１３０が第２位置に保持される。
【００３９】
図５（ｃ）に示すように、変位体１３０が第２位置に配置（磁石１４０及び磁性体１５０の吸着により保持）された状態では、扉３が回動する際のローラ２４の軌跡上に変位体１３０の他側（内周面１３１及び外周面１３２が交差する左右の稜線を含む部分の内の他方側、図５（ｃ）左側）が位置（突出）される。
【００４０】
この状態（変位体１３０が第２位置に配置された状態）から扉３が矢印Ａ方向（第２方向）へ回動されると、図５（ｄ）に示すように、扉３が通過する際にローラ２４から変位体１３０の他側が作用を受けることで、磁石１４０及び磁性体１５０の吸着による保持が解除され、変位体１３０が第１位置へ向けて変位（回転）されると共に、磁性体１５０が磁石１４０に吸着され、変位体１３０が第１位置に保持される。
【００４１】
例えば、扉３の正面３ａ側にいる人がパネル２の開口部を通過して背面３ｂ側へ移動する場合、変位体１３０が第１位置（図５（ａ）参照）又は第２位置（図５（ｃ）参照）のどちらに配置されていても、扉３の正面３ａを押せば、扉３が矢印Ｂ方向（第１方向）に回動可能とされ（図５（ｂ）参照）、パネル２の開口部を通過して、扉３の背面３ｂ側へ移動することができる。その後、扉３は自重で閉位置へ復帰（自閉）される（図５（ｃ）参照）。
【００４２】
この場合、変位体１３０は、図５（ｃ）に示すように、第２位置に配置される。よって、扉３の背面３ｂ側へ移動した人が扉３の施錠を行う際には、扉３の背面３ｂが矢印Ａ方向へ押されても、その押す力が、磁石１４０及び磁性体１５０の吸着による保持が解除されない程度の力であれば、ローラ２４と変位体１３０の他側との当接により、扉３の矢印Ａ方向への回動を規制できる。これにより、施錠時（即ち、上記したように、肘による補助具６の操作時）に扉３が押されても、デッドボルトがストライクに対して位置ずれすることを抑制して、両者を係合させやすく（デッドボルトをストライクに挿入しやすく）できる。その結果、扉３を施錠しやすくできる。
【００４３】
なお、扉３の背面３ｂ側にいる人がパネル２の開口部を通過して正面３ａ側へ移動する際も、上記の場合と同様に、変位体１３０が第１位置（図５（ａ）参照）又は第２位置（図５（ｃ）参照）のどちらに配置されていても、扉３の背面３ｂを押せば、扉３が矢印Ａ方向（第２方向）に回動されるので（図３（ｄ）参照）、パネル２の開口部を通過して、扉３の正面３ａ側へ移動することができる。その後、扉３は自重で閉位置へ復帰（自閉）され、変位体１３０は第１位置に配置される（図５（ａ）参照）。
【００４４】
このように、扉構造１（ストッパユニット１０）によれば、扉３を回動させて、パネル２の開口部を通過した際には、その通過した人が行う施錠をしやすくする位置（第１位置または第２位置）に変位体１３０を変位（回転）させておくことができる。即ち、パネル２の開口部を通過した人が扉３の背面３ｂ側にいる場合には、変位体１３０が第２位置に配置（保持）され（図５（ｃ）参照）、扉３の矢印Ａ方向の回動を規制でき、パネル２の開口部を通過した人が扉３の正面３ａ側にいる場合には、変位体１３０が第１位置に配置（保持）され（図５（ａ）参照）、扉３の矢印Ｂ方向の回動を規制できる。よって、扉３の正面３ａにドア錠５（補助具６）が配設される場合も、ストッパユニット１０により扉３の施錠をしやすくできる。
【００４５】
次いで、図６を参照して、第２実施形態における係合装置２００について説明する。図６（ａ）及び図６（ｂ）は、第２実施形態における係合装置２００の断面図であり、図３（ｂ）のＩＩＩｃ−ＩＩＩｃ線およびＩＩＩｄ−ＩＩＩｄ線における断面図にそれぞれ対応する。図６（ｃ）は、ケース２１０の上面図であり、図６（ｄ）は、蓋２２０の下面図であり、図６（ｅ）は、変位体２３０の背面斜視図である。なお、上記第１実施形態と同一の部分には同一の符号を付して、その説明は省略する。
【００４６】
図６（ａ）から図６（ｅ）に示すように、第２実施形態における係合装置２００は、ボール２７０を備え、そのボール２７０を介して、ケース２１０及び蓋２２０と変位体２３０とが連結される。即ち、ケース２１０及び蓋２２０と変位体２３０とには、ボール２７０を受け入れる受入部２１２，２２２，２３３がそれぞれ凹設される。
【００４７】
受入部２１２，２２２は、案内面１１１，１２１と同心の円弧状に湾曲した溝として延設され（案内面１１１，１２１と同心の円環形状を所定の中心角で分断した形状に形成され）、その溝の断面形状がボール２７０の半球分の形状に略一致される。一方、受入部２３３は、ボール２７０の半球に略一致される凹みとして形成され、変位体２３０の上下の端面の複数か所（本実施形態では２か所）にそれぞれ形成される。
【００４８】
係合装置２００は、ケース２１０の受入部２１２と変位体２３０の受入部２３３との間、及び、蓋２２０の受入部２２２と変位体２３０の受入部２３３との間にそれぞれボール２７０を装着しつつ、蓋２２０をケース２１０に固着させることで組み立てられる。変位体２３０は、受入部２３３に保持されたボール２７０が受入部２１２，２２２に沿って転動されることで、第１位置と第２位置との間で変位（回転）可能とされる。
【００４９】
この係合装置２００によれば、ボール２７０を介して、ケース２１０及び蓋２２０と変位体２３０とが連結されているので、変位体２３０が空間Ｓ１の開口から脱落することを抑制できる。
【００５０】
なお、ケース２１０及び蓋２２０の受入部２１２，２２２を半球状の凹みとし、変位体２３０の受入部２３３を案内面１１１，１２１（外周面１３２）と同心の円弧状に湾曲して延設される溝としても良い。
【００５１】
次いで、図７を参照して、第３実施形態における係合装置３００について説明する。図７（ａ）は、第３実施形態における係合装置３００の断面図であり、図７（ｂ）は、図７（ａ）のＶＩＩｂ−ＶＩＩｂ線における係合装置３００の断面図であり、図７（ｃ）は、変位体３３０の背面斜視図である。なお、図７（ａ）図３（ｂ）のＩＩＩｃ−ＩＩＩｃ線における断面図に対応する。また、上記各実施形態と同一の部分には同一の符号を付して、その説明は省略する。
【００５２】
図７（ａ）から図７（ｃ）に示すように、第３実施形態における係合装置３００は、変位体３３０に固着される軸３７０を備え、その軸３７０により、ケース３１０及び蓋３２０に変位体３３０が回転可能に軸支される。即ち、変位体３３０は、軸３７０を中心として、第１位置および第２位置の間を変位（回転）可能とされる。よって、変位体３３０の外周面１３２を案内するための案内面を省略することができる。従って、案内面を省略できる分、ケース３１０及び蓋３２０の形状を簡素化でき、製品コストを削減できる。
【００５３】
本実施形態では、ケース３１０及び蓋３２０に一対の磁石２４０が配設されると共に、磁性体３５０が変位体３３０の外周面１３２から軸３７０と反対側へ向けて突出される。一対の磁石２４０は、軸３７０を中心として変位体３３０が変位（回転）される際の磁性体３５０の軌跡上に非平行（略Ｖ字状）に対向配置され、これら一対の磁石３４０の内の一方または他方に磁性体３５０が吸着されることで、変位体３３０が第１位置または第２位置に保持（配置）される。
【００５４】
係合装置３００は、ケース３１０及び蓋３２０の軸支孔に変位体３３０の軸３７０を挿通させつつ、蓋３２０をケース３１０に固着させることで組み立てられる。なお、ケース３１０及び蓋３２０に軸３７０を固着し、その軸３７０を軸支する軸支孔を変位体３３０に形成しても良い。
【００５５】
次いで、図８を参照して、第４実施形態における係合装置４００について説明する。図８（ａ）は、第４実施形態における係合装置４００の断面図であり、図８（ｂ）は、図８（ａ）のＶＩＩＩｂ−ＶＩＩＩｂ線における係合装置４００の断面図であり、図８（ｃ）は、ケース４１０の上面図であり、図８（ｄ）は、蓋４２０の下面図である。なお、図８（ａ）は、図３（ｂ）のＩＩＩｃ−ＩＩＩｃ線における断面図に対応する。また、上記各実施形態と同一の部分には同一の符号を付して、その説明は省略する。
【００５６】
図８（ａ）から図８（ｄ）に示すように、第４実施形態における係合装置４００は、変位体４３０に固着される軸４７０を備え、その軸４７０を介して、ケース４１０及び蓋４２０と変位体４３０とが連結される。即ち、ケース４１０及び蓋４２０には、軸４７０を受け入れる受入部４１２，４２２がそれぞれ開口される。
【００５７】
受入部４１２，４２２は、案内面１１１，１２１と同心の円弧状に湾曲した開口として延設され（案内面１１１，１２１と同心の円環形状を所定の中心角で分断した形状に形成され）、その開口の溝幅が軸４７０の直径に略一致される。
【００５８】
係合装置４００は、ケース４１０及び蓋４２０の受入部４１２，４２２に変位体４３０の軸４７０を挿通させつつ、蓋４２０をケース４１０に固着させることで組み立てられる。変位体４３０は、軸４７０が受入部４１２，４２２に沿って摺動されることで、第１位置と第２位置との間で変位（回転）可能とされる。
【００５９】
この係合装置４００によれば、軸４７０を介して、ケース４１０及び蓋４２０と変位体４３０とが連結されているので、変位体４３０が空間Ｓ１の開口から脱落することを抑制できる。
【００６０】
なお、受入部４１２，４２２を開口ではなく凹部（溝）としても良い。また、ケース４１０及び蓋４２０に軸４７０を固着し、その軸４７０を受け入れる受入部（外周面１３２と同心の円弧状に湾曲した溝として延設されもの）を変位体４３０に形成（凹設）しても良い。
【００６１】
次いで、図９を参照して、第５実施形態における係合装置５００について説明する。図９（ａ）は、第５実施形態における係合装置５００の断面図であり、図９（ｂ）は、図９（ａ）のＩＸｂ−ＩＸｂ線における係合装置５００の断面図であり、図９（ｃ）は、ケース５１０の上面図であり、図９（ｄ）は、蓋５２０の下面図であり、図９（ｅ）は、変位体５３０の背面斜視図である。なお、図９（ａ）は、図３（ｂ）のＩＩＩｃ−ＩＩＩｃ線における断面図に対応する。また、上記各実施形態と同一の部分には同一の符号を付して、その説明は省略する。
【００６２】
図９（ａ）から図９（ｅ）に示すように、第５実施形態における係合装置５００は、複数（本実施形態では２個）のボールプランジャ５７０が配設部材５６０により空間Ｓ１に配設されると共に、そのボールプランジャ５７０のボール５７１が係合可能な一対の係合溝５３３が変位体５３０の外周面１３２に形成（凹設）される。
【００６３】
ボールプランジャ５７０は、樹脂製のボール５７１と、ボール５７１に付勢力を付与するコイルスプリング５７２と、ボール５７１及びコイルスプリング５７２の間に介在されるカラー５７３と、これら各部材５７１，５７２，５７３を収容する円筒状の円筒ケース５７４とを備える。
【００６４】
ボールプランジャ５７０のボール５７１は、変位体５３０が案内面１１１，１２１に案内されて変位（回転）する際の係合溝５３３の軌跡上に配置され、ボール５７１が一対の係合溝５３３の内の一方または他方に係合されることで、変位体５３０が第１位置または第２位置に保持（配置）される。
【００６５】
係合装置５００は、ケース５１０及び蓋５２０の受入部４１２，４２２に変位体５３０の軸４７０を挿通させると共に、ボールプランジャ５７０を配設部材５６０によりケース５１０に配設し、蓋５２０をケース５１０に固着させることで組み立てられる。
【００６６】
磁石１４０，３４０を磁性体１５０，３５０に吸着させる構造では、変位体１３０〜４３０の変位（回転）が停止される際に、磁石磁石１４０，３４０（又は磁石３４０を保持する金属製のケース）と磁性体１５０，３５０との衝突音が発生しやすいのに対し、係合装置５００によれば、変位体５３０の変位(回転)が停止される際の衝突音の発生を抑制できる。
【００６７】
次いで、図１０を参照して、第６実施形態における扉構造６００１について説明する。図１０（ａ）及び図１０（ｂ）は、第６実施形態における扉構造６００１の部分拡大上面図である。なお、上記各実施形態と同一の部分には同一の符号を付して、その説明は省略する。
【００６８】
ここで、図１０（ａ）では、扉３の戸先上部に配設されるストッパユニット１０が図示される一方、図１０（ｂ）では、扉３の戸先下部に配設されるストッパユニット１０が図示される。また、図１０（ａ）では、変位体１３０が第１位置に配置された状態が、図１０（ｂ）では、変位体１３０が第２位置に配置された状態が、それぞれ図示される。
【００６９】
第６実施形態における扉構造６００１では、扉３の戸先上部の係合装置１００と戸先下部の係合装置１００とが上面視で同じ位置（重なる位置）に配設される一方、扉３の戸先上部の扉側ローラ２０と戸先下部の扉側ローラ２０とが上面視で互いに逆方向へオフセットして配設される。
【００７０】
ここで、図１０（ａ）及び図１０（ｂ）において、仮想線Ｌ１は、扉３及び係合装置１００の幅方向（図１０（ａ）及び図１０（ｂ）左右方向）中央を通る仮想線であり、仮想線Ｌｕは、扉３の戸先上部に配設される扉側ローラ２０のローラ２４における回転中心を通る仮想線であり（図１０（ａ）参照）、仮想線Ｌｄは、扉３の戸先下部に配設される扉側ローラ２０のローラ２４における回転中心を通る仮想線である（図１０（ｂ）参照）。扉３が閉位置にある状態（図１０（ａ）及び図１０（ｂ）の状態）において、仮想線Ｌ１と仮想線Ｌｕ，Ｌｄとが略平行とされる。
【００７１】
仮想線Ｌｕ（扉３の戸先上部に配設される扉側ローラ２０）は、図１０（ａ）に示すように、仮想線Ｌ１に対して距離Ｗだけ扉３の正面３ａ側にオフセットして配設され、仮想線Ｌｄ（扉３の戸先下部に配設される扉側ローラ２０）は、図１０（ｂ）に示すように、仮想線Ｌ１に対して、距離Ｗだけ扉３の背面３ｂ側にオフセットして配設される。
【００７２】
これにより、扉３の戸先上部に配設される係合装置１００と戸先下部に配設される係合装置１００とを互いに異なる状態（一方が第１位置に、他方が第２位置に、それぞれ保持された状態）とすることができる。よって、扉３の正面３ａ側への回動および背面３ｂ側への回動のどちらの回動も、ローラ２４と変位体１３０との当接により規制することができる。その結果、閉位置にある扉３が気圧差や風圧の影響を受けた場合でも、扉３を閉位置に維持しておくことができる。
【００７３】
この扉構造６００１の動作について説明する。図１０（ａ）及び図１０（ｂ）に示す状態から、扉３が正面３ａ側へ回動され、その後、閉位置に自閉される一連の動作においては、扉３の戸先上部に配設される係合装置１００の変位体１３０は、図１０（ａ）に示す第１位置から変位（回転）されない。一方、扉３の戸先下部に配設される係合装置１００では、扉３が正面３ａ側へ回動される際に、ローラ２４が変位体１３０の他側（図１０（ｂ）左側の部分）に当接され、変位体１３０が図１０（ｂ）に示す第２位置から第１位置に変位（回転）されるが、その後、扉３が閉位置に自閉されると、ローラ２４が距離Ｗだけ背面３ｂ側にオフセットして配設されていることで、そのローラ２４が変位体１３０の一側（図１０（ｂ）右側の部分）に当接され、変位体１３０が第１位置から図１０（ｂ）に示す第２位置へ変位（回転）される。
【００７４】
同様に、図１０（ａ）及び図１０（ｂ）に示す状態から、扉３が背面３ｂ側へ回動され、その後、閉位置に自閉される一連の動作においては、扉３の戸先下部に配設される係合装置１００の変位体１３０は、図１０（ｂ）に示す第２位置から変位（回転）されない。一方、扉３の戸先上部に配設される係合装置１００では、扉３が背面３ｂ側へ回動される際に、ローラ２４が変位体１３０の一側（図１０（ａ）右側の部分）に当接され、変位体１３０が図１０（ａ）に示す第１位置から第２位置に変位（回転）されるが、その後、扉３が閉位置に自閉されると、ローラ２４が距離Ｗだけ正面３ａ側にオフセットして配設されていることで、そのローラ２４が変位体１３０の他側（図１０（ａ）左側の部分）に当接され、変位体１３０が第２位置から図１０（ａ）に示す第１位置へ変位（回転）される。
【００７５】
以上、実施形態に基づき本発明を説明したが、本発明は上記実施形態に何ら限定されるものではなく、本発明の趣旨を逸脱しない範囲内で種々の改良変形が可能であることは容易に推察できるものである。
【００７６】
上記実施形態で挙げた数値は一例であり、他の数値を採用することは当然可能である。同様に、各構成の配設数は任意である。
【００７７】
上記各実施形態では、係合装置１００〜５００をパネル２の縦枠に埋設すると共に、扉側ローラ２０を扉３の上部または下部に配設する場合を説明したが、係合装置１００〜５００をパネル２の正面または背面に配設すると共に、扉側ローラ２０を扉３の正面３ａ又は背面３ｂに配設しても良い。即ち、アウトセットの配設としても良い。
【００７８】
上記各実施形態では、ローラ２４が回転可能に軸支される場合を説明したが、ローラ２４が回転不能に構成されていても良い。
【００７９】
上記第１及び第２実施形態では、変位体１３０，２３０に磁石１４０を、ケース１１０，２１０に磁性体１５０を、それぞれ配設する場合を説明したが、磁石１４０と磁性体１５０の配設対象を逆としても良い。同様に、上記第３及び第４実施形態では、変位体３３０，４３０に磁性体３５０を、ケース３１０，４１０に磁石３４０を、それぞれ配設する場合を説明したが、磁石３４０と磁性体３５０の配設対象を逆としても良い。
【００８０】
上記第１から第５実施形態では、ストッパユニット１０を扉３の上部および下部に配設する場合を説明したが、扉３の上部または下部の一方のみに配設しても良い。
【００８１】
上記第６実施形態では、仮想線Ｌ１，Ｌｕ間の距離Ｗと仮想線Ｌ１，Ｌｄ間の距離Ｗとが同一の寸法とされる場合を説明したが、これら仮想線Ｌ１，Ｌｕ間の距離Ｗと仮想線Ｌ１，Ｌｄ間の距離Ｗとを異なる寸法としても良い。
【符号の説明】
【００８２】
２      パネル（支持体）
３      扉
２１    ベース（軸支部材）
２２    カバー（軸支部材）
２３    軸（軸支部材）
２４    ローラ（被係合部材）
１００，２００，３００，４００，５００  係合装置
１１０，２１０，３１０，４１０，５１０  ケース（本体）
１１１  案内面
１２０，２２０，３２０，４２０，５２０  蓋（本体）
１２１  案内面
１３０，２３０，３３０，４３０，５３０  変位体
１３２  外周面（外面）
１４０，３４０  磁石（保持手段）
１５０，３５０  磁性体（保持手段）
２１２，４１２  受入部
２２２，４２２  受入部
２３３  受入部
２７０  ボール（連結手段、突出部）
３７０  軸
４７０  軸（連結手段、突出部）
５３３  係合溝（保持手段）
５７０  ボールプランジャ（保持手段）
Ｓ１    空間
【要約】      （修正有）【課題】扉を施錠しやすくできるストッパユニットを提供する。【解決手段】扉構造１は、扉３がグレビティヒンジを用いたスイングドアとして構成される。補助具６を操作して施錠する場合、その操作に伴って扉３が押されて回動してしまうと、デッドボルトがストライクに対して位置ずれし、扉３を施錠することが困難となる。扉構造１によれば、ストッパユニット１０を備え、ローラ２４と変位体１３０との当接により、扉３が回動することを規制可能とされる。これにより、デッドボルトがストライクに対して位置ずれすることを抑制して、両者を係合させやすくできる。【選択図】図２【図１】
0006952966.tif 000002
【図２】
0006952966.tif 000003
【図３】
0006952966.tif 000004
【図４】
0006952966.tif 000005
【図５】
0006952966.tif 000006
【図６】
0006952966.tif 000007
【図７】
0006952966.tif 000008
【図８】
0006952966.tif 000009
【図９】
0006952966.tif 000010
【図１０】
0006952966.tif 000011